(57)【要約】【課題】コストの低減を図りつつ、軟便等の漏れの可能性を低減する。【解決手段】吸収体及び液透過性の表面材を有し、吸収性物品に配置される吸収性補助パッドであって、吸収性補助パッドは、可撓性を有する柱状の形態であり、吸収体は、吸収性補助パッドの長手方向に沿って延在し、長手方向に交差する短手方向の側面が表面材に覆われており、吸収性補助パッドは、長手方向の寸法が８００ｍｍ以上１５００ｍｍ以下であり、長手方向に交差する面で切断した場合の吸収性補助パッドの断面の形状は、略矩形又は略円形であり、断面の外周は、９０ｍｍ以上２５０ｍｍ以下であり、吸収体がトウからなる繊維集合体及び高吸収性ポリマーとを含み、トウからなる繊維集合体及び高吸収性ポリマーがほぼ均一に混合された、吸収性補助パッドが提供される。【選択図】図１Ａ
2020018481.tif 000002
【特許請求の範囲】
【請求項１】
吸収体及び液透過性の表面材を有し、吸収性物品に配置される吸収性補助パッドであって、
当該吸収性補助パッドは、可撓性を有する柱状の形態であり、
前記吸収体は、当該吸収性補助パッドの長手方向に沿って延在し、前記長手方向に交差する短手方向の側面が前記表面材に覆われており、
当該吸収性補助パッドは、前記長手方向の寸法が８００ｍｍ以上１５００ｍｍ以下であり、
前記長手方向に交差する面で切断した場合の当該吸収性補助パッドの断面の形状は、略矩形又は略円形であり、
前記断面の外周は、９０ｍｍ以上２５０ｍｍ以下であり、
前記吸収体がトウからなる繊維集合体及び高吸収性ポリマーを含む、吸収性補助パッド。
【請求項２】
前記吸収体において前記繊維集合体及び前記高吸収性ポリマーがほぼ均一に混合されている、請求項１に記載の吸収性補助パッド。
【請求項３】
前記繊維集合体の構成繊維がセルロースアセテートの繊維である、請求項１又は２に記載の吸収性補助パッド。
【請求項４】
前記表面材が、親水性サーマルボンド不織布又は親水性スパンボンド不織布である、請求項１から３のいずれかに記載の吸収性補助パッド。
【請求項５】
圧縮率が、５０％以上８０％以下である、請求項１から４のいずれかに記載の吸収性補助パッド。
【請求項６】
当該吸収性補助パッドを直角に曲げた場合に、曲げ方向に垂直な方向での屈曲部の厚みが、非屈曲部の厚みの２倍以下である、請求項１から５のいずれかに記載の吸収性補助パッド。
【請求項７】
吸収性物品の股部に位置する排尿領域及び排便領域を前部から後部にかけて囲い、かつ、前記吸収性物品の立体ギャザーの内側に沿うように、請求項１から６のいずれかに記載の吸収性補助パッドを、略Ｕ字状に配置し、前記略Ｕ字状内の領域からの軟便の漏れを防止する吸収性補助パッドの使用方法。
【発明の詳細な説明】
【技術分野】
【０００１】
本発明は、吸収性補助パッド及びその使用方法に関する。
【背景技術】
【０００２】
一般的に大人用紙おむつには、テープ止めタイプ、パンツタイプ等があり、これらの紙おむつは使用者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ところで、テープ止めタイプやパンツタイプの紙おむつ（以下、「テープ止めタイプ等の紙おむつ」と称する）は、それ自体を単独で使用する場合と、その内側に尿取りパッドを併用する場合があるが、現在は、尿取りパッドと併用し、尿取りパッドを、トップシート上に重ねて使用する場合がほとんどである。これは、紙おむつ１枚当たりのコストが高いためで、テープ止めタイプ等の紙おむつに比して安価な尿取りパッドで排泄物を吸収して保持した後、尿取りパッドのみを交換することで、排泄後においても、よりコストの高いテープ止めタイプ等の紙おむつを交換せずに済み、経済的に低いコストで吸収性物品を使用できるためである。
【０００４】
ここで、尿取りパッドは、尿量に応じて様々なサイズや形状があり、排泄された尿を確実に吸収して漏れを防止することができる。しかしながら、軟便、水様便、下痢便（以下、軟便等と称する）に対しては、吸収性が不十分であり、軟便等が尿取りパッド及びテープ止めタイプ等の紙おむつの外部に漏れることがあったため、軟便等の漏れを防止することを目的とした尿取りパッドについても検討がなされている。
【０００５】
軟便等の漏れを防止することを目的とした尿取りパッドとしては、例えば、特許文献１に、トップシートと、バックシートと、吸収体と、立体ギャザーと、を備えた尿取りパッドにおいて、少なくとも股間部の前端よりも後側の範囲内における、立体ギャザーの突出部位より側方に延在する部分に、衣類側表面から見てカップ状に窪んだカップ部が設けられていることを特徴とする尿取りパッドが開示されている。
【先行技術文献】
【特許文献】
【０００６】
【特許文献１】特開２０１４−４５９８０号公報
【発明の概要】
【発明が解決しようとする課題】
【０００７】
特許文献１に記載の尿取りパッドにおいても、大量の軟便等が排泄された場合には、尿取りパッドの漏れやすい箇所から紙おむつにまで軟便等が漏れ、さらに、紙おむつから軟便等が衣服や寝具に漏れてしまう可能性が依然として高い。
【０００８】
また、尿取りパッドは、紙おむつに補助的に用いられるものであるが、広範囲で軟便等の漏れを防止しようとするが故に、必然的にサイズが大きくなることから、原材料コストが高くなり、使用者としては、コストの観点から十分に満足できないという問題もあった。
【０００９】
そこで、１つの側面では、本発明は、コストの低減を図りつつ、軟便等の漏れの可能性を低減することを目的とする。
【課題を解決するための手段】
【００１０】
１つの側面では、以下のような解決手段を提供する。
【００１１】
（１）吸収体及び液透過性の表面材を有し、吸収性物品に配置される吸収性補助パッドであって、
当該吸収性補助パッドは、可撓性を有する柱状の形態であり、
前記吸収体は、当該吸収性補助パッドの長手方向に沿って延在し、前記長手方向に交差する短手方向の側面が前記表面材に覆われており、
当該吸収性補助パッドは、前記長手方向の寸法が８００ｍｍ以上１５００ｍｍ以下であり、
前記長手方向に交差する面で切断した場合の当該吸収性補助パッドの断面の形状は、略矩形又は略円形であり、
前記断面の外周は、９０ｍｍ以上２５０ｍｍ以下であり、
前記吸収体がトウからなる繊維集合体及び高吸収性ポリマーとを含み、前記トウからなる繊維集合体及び前記高吸収性ポリマーがほぼ均一に混合された、吸収性補助パッド。
【００１２】
（２）上記（１）の構成において、前記吸収体において前記繊維集合体及び前記高吸収性ポリマーがほぼ均一に混合されていることを特徴とする。
【００１３】
（３）上記（１）又は（２）の構成において、前記繊維集合体の構成繊維がセルロースアセテートの繊維であることを特徴とする。
【００１４】
（４）上記（１）〜（３）のいずれかの構成において、前記表面材が、親水性サーマルボンド不織布又は親水性スパンボンド不織布であることを特徴とする。
【００１５】
（５）上記（１）〜（４）のいずれかの構成において、圧縮率が、５０％以上８０％以下であることを特徴とする。
【００１６】
（６）上記（１）〜（５）のいずれかの構成において、当該吸収性補助パッドを直角に曲げた場合に、曲げ方向に垂直な方向での屈曲部の厚みが、非屈曲部の厚みの２倍以下であることを特徴とする。
【００１７】
（７）吸収性物品の股部に位置する排尿領域及び排便領域を前部から後部にかけて囲い、かつ、前記吸収性物品の立体ギャザーの内側に沿うように、上記（１）〜（６）のいずれかの構成の吸収性補助パッドを、略Ｕ字状に配置し、前記略Ｕ字状内の領域からの軟便の漏れを防止する吸収性補助パッドの使用方法。
【発明の効果】
【００１８】
１つの側面では、本発明によれば、コストの低減を図りつつ、軟便等の漏れの可能性を低減することが可能となる。
【図面の簡単な説明】
【００１９】
【図１Ａ】本発明の一の態様による吸収性補助パッドの側面図である。
【図１Ｂ】本発明の他の態様による吸収性補助パッドの側面図である。
【図２】図１のＹ１−Ｙ１断面図である。
【図３】本発明の吸収性補助パッドの使用例を示す図面である。
【図４】図３のＡ１−Ａ１断面図である。
【図５】本発明の吸収性補助パッドの使用例を示す図面である。
【図６】図５のＢ１−Ｂ１断面図である。
【図７Ａ】本発明の吸収性補助パッドを直角に曲げた場合の特性の説明図である。
【図７Ｂ】本発明の吸収性補助パッドを直角に曲げた場合の特性の説明図である。
【図７Ｃ】本発明の吸収性補助パッドを直角に曲げた場合の特性の説明図である。
【発明を実施するための形態】
【００２０】
以下、添付図面を参照して、本発明を実施するための形態について、詳細に説明する。なお、本発明の実施形態の説明の全体を通して、同じ要素には同じ符号を付している。
【００２１】
本明細書の説明において、吸収性補助パッド１の着用時とは、吸収性補助パッド１の装着時及び装着後の少なくとも一方をいう。吸収性補助パッド１の長手方向とは、柱状の形態である吸収性補助パッド１の側面に平行な方向であり、図中Ｘで表す方向である。一方、吸収性補助パッド１の短手方向とは、長手方向に対して横又は直交する方向であり、図中Ｙで表す方向である。さらに、身体側表面とは、吸収体２０等の各部材の表裏両面のうち、着用時に着用者の肌側に配される面であり、衣類側表面とは、吸収体２０等の各部材の表裏両面のうち、着用時に着用者の肌側とは反対側に向けられる面である。
【００２２】
＜吸収性補助パッド＞
図１Ａ及び図１Ｂは本発明の吸収性補助パッド１の側面図、図２は、図１のＹ１−Ｙ１断面図である。図３及び図５は本発明の吸収性補助パッド１の使用例を示す図面、図４は図３のＡ１−Ａ１断面図、図６は図５のＢ１−Ｂ１断面図である。本発明の吸収性補助パッド１は、図３及び図４に示すように、テープ止めタイプ等の紙おむつ４０に、直接配置させることもでき、また、図５及び図６に示すように、テープ止めタイプ等の紙おむつ４０に尿取りパッド５０を装着させ、尿取りパッド５０の身体側に、配置させることもできる。吸収性補助パッド１は、図１Ａに示すように、吸収体２０及び液透過性の表面材３０から構成され、可撓性を有する柱状の形態であり、少なくとも、吸収体２０の長手方向の側面は、表面材３０に覆われており、テープ止めタイプ等の紙おむつ４０や尿取りパッド５０等の吸収性物品の端部に配置されるものである。このため、吸収性補助パッド１を、図３から図６に示すように、テープ止めタイプ等の紙おむつ４０や尿取りパッド５０等の吸収性物品の股部ｂに位置する排尿領域及び排便領域を前部ａから後部ｃにかけて囲い、かつ、テープ止めタイプ等の紙おむつ４０の立体ギャザー４１や尿取りパッド５０の立体ギャザー５１の内側に沿うように、略Ｕ字状に配置することにより、吸収性補助パッド１が軟便等を堰き止め、吸収性物品からの軟便等の漏れを防止することができる。また、本発明の吸収性補助パッド１は、吸収体２０と表面材３０とからなるシンプルな構成であるため、原材料コスト及び加工コストを抑えることができる。
【００２３】
吸収性補助パッド１の短手方向の断面の形状は、フィット性の観点から、略矩形又は略円形である。また、吸収性補助パッド１の長手方向の寸法（図１ＡのＬ１参照）は、８００ｍｍ以上１５００ｍｍ以下であり、１０００ｍｍ以上１２００ｍｍ以下であることが好ましく、吸収性補助パッド１の短手方向の断面の外周（図２のＬ２参照）は、９０ｍｍ以上２５０ｍｍ以下である。吸収性補助パッド１の長手方向の寸法と短手方向の断面の外周を上記の範囲にすることでそのまま使用してもよく、また折り畳んで使用してもよく、着用する吸収性物品の態様、大きさ、形状に合わせて、軟便等の漏れを適切に防止できる吸収性補助パッド１を提供することができる。
【００２４】
（圧縮率）
本発明の吸収性補助パッド１の無荷重の厚さ（以下、「圧縮前の厚さ」とする）は、１５ｍｍ以上３５ｍｍ以下であることが好ましく、２０ｍｍ以上３０ｍｍ以下であることがより好ましい。また、吸収性補助パッド１に、縦及び横の寸法が５０ｍｍであるアクリルプレートを乗せ、さらに、アクリルプレートの上に６８８ｇの重りを乗せた状態での吸収性補助パッド１の厚さ（以下、「圧縮後の厚さ」とする）は、５ｍｍ以上１５ｍｍ以下であることが好ましく、８ｍｍ以上１０ｍｍ以下であることがより好ましい。さらに、｛圧縮前の厚さ（ｍｍ）−圧縮後の厚さ（ｍｍ）｝／圧縮前の厚さ（ｍｍ）×１００の式で算出される数値を、吸収性補助パッド１の圧縮率（％）とし、圧縮率（％）は、フィット性の観点から、５０％以上８０％以下であることが好ましく、６０％以上７０％以下であることがより好ましい。圧縮前後の厚さ及び圧縮率を上記の範囲とすることで、吸収性補助パッド１が、体圧がかかった身体に隙間なくフィットし、軟便等の漏れを効果的に防止することができ、また、着用時の痛みや褥瘡を防止することができる。
【００２５】
［吸収体］
本発明に用いる吸収体２０の基材は、トウからなる繊維集合体を用いる。トウからなる繊維集合体はトウを開繊した長繊維フィラメントの集合体であり、長繊維の配向方向が揃うように束ねられている。本発明においては、長繊維の配向方向が、吸収性補助パッド１の長手方向となるように、配置することが好ましい。例えば、連続フィラメントのトウを開繊し、適当な長さに切断することで、長繊維の束から構成された繊維集合体を製造することができる。
【００２６】
トウからなる繊維集合体の基材としては、綿等に由来する天然セルロース、レーヨン等の再生セルロース、セルロースアセテート、ポリエチレン、ポリプロピレン、ＰＥＴ等を用いることができ、これらの中でも、綿等に由来する天然セルロース、レーヨン等の再生セルロース、セルロースアセテートを用いることが好ましく、嵩高さを得やすく、吸収体２０に柔軟性及び可撓性を付与できる、セルロースアセテートを用いることがより好ましい。
【００２７】
また、トウからなる繊維集合体において、繊維間の絡みが弱いため、絡みを融着して固定させる目的で、バインダーを用いることが好ましい。バインダーとしては、トリアセチン等を用いることができる。
【００２８】
トウからなる繊維集合体の坪量は、漏れ防止及び柔軟性を両立するため、１００ｇ／ｍ２以上８００ｇ／ｍ２以下の坪量とすることが好ましい。
【００２９】
また、吸収体２０は、トウからなる繊維集合体に加えて、高吸収性ポリマー（ＳＡＰ）を含有する。
【００３０】
高吸収性ポリマー（ＳＡＰ）は、体液を吸収し、かつ、逆流を防止できるものであれば特に制限はなく、ポリアクリル酸ナトリウム系、ポリアスパラギン酸塩系体、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系共重合体が好ましい。吸収体２０にＳＡＰを含有させる場合には、吸収体２０のＳＡＰ量は、吸収性能及び肌触りを損なわないよう、５００ｇ／ｍ２以下の坪量とすることが好ましい。また、肌触り、吸収速度及び吸収量の観点から、吸収体２０の重量に対するＳＡＰの重量は、５０質量％以下であることが好ましい。
混合の際は、トウからなる繊維集合体及びＳＡＰの形態は、トウからなる繊維集合体にＳＡＰ粒子を混合して形成すればよい。この際、好ましくは、トウからなる繊維集合体及び高吸収性ポリマーはほぼ均一に混合される。ほぼ均一に混合される場合は、吸収体２０のどの箇所及びどの面からでも、尿や軟便等を均一に吸収できる。例えば、高吸収性ポリマーが少ない箇所が存在すると、当該箇所での尿や軟便等の吸収が不十分で、尿や軟便等が漏れるおそれがある。また、高吸収性ポリマーの密度が高い箇所が他の箇所に比べて尿や軟便等を有意に多く吸収するために、吸収後の吸収体２０の厚みが不均一になる。
なお、ほぼ均一に混合された状態とは、例えば、Ｘ方向、Ｙ方向、及びＺ方向のどの方向についても、高吸収性ポリマーとフラッフパルプとが混合されて存在している状態（フラッフパルプだけの層は無い）を含む。ほぼ均一に混合された状態では、例えば、吸収体２０を５ｍｍ角ごとに分けた場合に、すべての立方体に高吸収性ポリマーとフラッフパルプの両方が含まれていることが望ましい。
【００３１】
［表面材］
表面材３０は、吸収体２０に向けて体液を速やかに通過させるものであり、少なくとも、吸収体２０の長手方向の側面を覆っている。表面材３０は、肌と当接するシートとなることから、柔らかな感触で、肌に刺激を与えないような基材、例えば、サーマルボンド不織布、スパンボンド不織布、サーマルボンド／スパンボンドを積層した複合不織布、開口ポリエチレンフィルム等の開口性フィルム、ポリエチレンフォーム、ウレタンフォーム等の発泡フィルム、又はこれらを積層した複合シートといった材料から形成される。表面材３０は、単層であっても、複数層積層していてもよく、ドライタッチ性を付与するために多数の透孔が形成されていてもよい。なお、本発明に用いる表面材３０としては、親水性サーマルボンド不織布、又は、親水性スパンボンド不織布であることが好ましい。不織布の素材としては、ポリプロピレンやポリエチレン等の合成繊維やレーヨン等の再生繊維、綿等の天然繊維を用いることができる。
【００３２】
表面材３０は、図１Ａに示すように、直線状の第一の接合部３１を、長手方向に有しており、当該接合部により、表面材３０が接合され、吸収体２０の短手方向の側面を覆うことができる。表面材３０の接合は、ヒートシール、超音波シール、ホットメルト等の公知の方法により行うことができる。また、図１Ｂに示すように、表面材３０の長手方向両端部が第二の接合部３２により、閉塞されており、表面材３０が、吸収体２０の全体を覆っていることが好ましい。すなわち、表面材３０は、吸収体２０の長手方向の側面を更に覆ってもよい。
【００３３】
さらに、表面材３０の坪量は、加工性及び強度の観点から、１５ｇ／ｍ２以上２００ｇ／ｍ２以下であることが好ましい。表面材３０には、肌への刺激を低減させるために、ローション、酸化防止剤、抗炎症成分、ｐＨ調整剤、抗菌剤、保湿剤等を適用してもよい。
【００３４】
（係止手段）
また、表面材３０は、吸収性補助パッド１の長手方向の両端部同士を係止する係止手段を、少なくとも一箇所に有していてもよい。係止手段により、長手方向の両端部同士を係止することにより、吸収性補助パッド１をＯ字状に吸収性物品に配置することもできる。吸収性補助パッド１をＯ字状に配置することにより、側臥位である場合に、軟便等が前方へ漏れることを防止することができる。なお、係止手段としては、フック部材、粘着剤等を用いることができる。
【００３５】
（固定手段）
また、表面材３０は、吸収性補助パッド１を吸収性物品の表面に固定する固定手段を、少なくとも一箇所に有していてもよい。固定手段としては、フック部材、粘着剤等を用いることができる。また、固定手段を保護するための剥離シートを有していてもよく、この剥離シートは、吸収性補助パッド１の包装シートと一体となっていてもよい。
【００３６】
＜吸収性補助パッドの使用方法＞
本発明の吸収性補助パッド１の使用方法について、図３から図６を用いて説明する。本発明の吸収性補助パッド１は、図３及び図４に示すように、吸収性物品であるテープ止めタイプ等の紙おむつ４０に、直接配置させることもできる。具体的には、テープ止めタイプ等の紙おむつ４０のトップシート４２上の股部ｂに位置する排尿領域及び排便領域を前部ａから後部ｃにかけて囲うように、かつ、テープ止めタイプ等の紙おむつ４０の立体ギャザー４１の内側に沿うように、略Ｕ字状に配置する。このように、吸収性補助パッド１を配置することにより、吸収性補助パッド１が軟便等を堰き止め、テープ止めタイプ等の紙おむつ４０からの軟便等の漏れを防止することができる。また、図５及び図６に示すように、本発明の吸収性補助パッド１は、テープ止めタイプ等の紙おむつ４０と尿取りパッド５０を併用する場合にも、使用することができる。具体的には、テープ止めタイプ等の紙おむつ４０のトップシート４２の身体側に吸収性物品である尿取りパッド５０を、装着させ、尿取りパッド５０のトップシート５２の身体側に、吸収性補助パッド１を配置させる。この場合も、尿取りパッド５０のトップシート５２上の股部ｂに位置する排尿領域及び排便領域を前部ａから後部ｃにかけて囲うように、かつ、テープ止めタイプ等の紙おむつ４０の立体ギャザー４１の内側に沿うように、さらに、尿取りパッド５０が立体ギャザー５１を備える場合には尿取りパッド５０の立体ギャザー５１の内側に沿うように、略Ｕ字状に配置する。このように、吸収性補助パッド１を配置することにより、吸収性補助パッド１が軟便等を堰き止め、尿取りパッド５０からテープ止めタイプ等の紙おむつ４０への軟便等の漏れを防止することができる。
【００３７】
＜吸収性補助パッドの効果＞
上述のように、本発明の吸収性補助パッド１を、テープ止めタイプ等の紙おむつや尿取りパッド等の吸収性物品の端部に、例えば、吸収性物品の股部ｂに位置する排尿領域及び排便領域を前部ａから後部ｃにかけて囲い、かつ、吸収性物品の立体ギャザーの内側に沿うように、略Ｕ字状に配置することにより、吸収性補助パッドが軟便等を堰き止め、吸収性物品からの軟便等の漏れを防止することができる。
【００３８】
また、本発明の吸収性補助パッド１は、吸収体２０を表面材３０で覆うシンプルな構成であるため、原材料コスト及び加工コストを抑えることができる。さらに、吸収性補助パッド１の長手方向の寸法と吸収性補助パッド１の短手方向の断面の外周を上記の範囲にすることで、着用する吸収性物品の態様、大きさ、形状に合わせて、軟便等の漏れを適切に防止できる吸収性補助パッドを提供することができる。加えて、トウからなる繊維集合体を使用することで、可撓性に優れ、身体への追従性が向上するため、使用者への負担が和らぐ。自分の体に合わせて、折り畳む等して形成しやすくなるためフィット感が改善する。Ｕ字状にする際、フラッフ等を使った従来の補助パッドと比較してＲ部分又は直角部分の厚さが高くなり難く、また圧縮もし易くなるため隙間も形成し辛く漏れにくくなる。体液の拡散性能が良く、かつ高吸収性ポリマーが混合されているため、漏れの防止効果にも優れる。
【００３９】
このようにして、本発明の吸収性補助パッド１によれば、軟便等の漏れを適切に防止することができ、かつ、低コスト化を実現できる。
【００４０】
次に、図７Ａ〜図７Ｃ及び表１を参照して、本発明の吸収性補助パッド１のさらなる効果を説明する。
【００４１】
図７Ａ〜図７Ｃは、本発明の吸収性補助パッド１を直角に曲げた場合の特性の説明図であり、図７Ａは、曲げる前の状態を示し、図７Ｂは、直角に曲げた状態を示し、図７Ｃは、図７ＢのラインＰ−Ｐに沿った断面図である。表１は、図７Ｂに示す各厚みＨ１，Ｈ２の関係をまとめた表であり、比較品と発明品とで比較して示す。なお、表１内の数値の単位は、特に言及しない限り、ｍｍである。
【００４２】
図７Ｂに示す各厚みＨ１，Ｈ２は、比較品と発明品のそれぞれにおいて、圧力を加えないときと、所定の圧力（ここでは３５ｇ／ｃｍ２）を付与したときについて測定した。なお、荷重３５ｇ／ｃｍ２下での厚さは、吸収性補助パッド１におもりを乗せた状態のおもりの所定位置の高さからおもり自体における同所定位置の高さを引いた値として求められている。
【００４３】
比較品と発明品との間の違いは、吸収体の材料である。発明品の吸収体は、トウと高吸収性ポリマーとからなるのに対して、比較品の吸収体は、トウに代えてフラッフパルプを含む。すなわち、比較品の吸収体は、フラッフパルプのみからなる。
【００４４】
吸収性補助パッドを図７Ａの矢印Ｒで示すようにＸＹ平面内で９０度折り曲げると、図７Ｂに示すような状態となる。このとき、吸収性補助パッドは、非屈曲部９０と屈曲部９１とを有することになる。非屈曲部９０は、内部の吸収体が変形しないため、図７Ｃに示すように、Ｚ方向の上側は略平坦となる。これに対して、屈曲部９１は、内部の吸収体が有意に変形するため、図７Ｃに示すように、Ｚ方向の上側が凸状となる。すなわち、屈曲部９１は、Ｚ方向の厚みが大きくなる。ここで、直角に曲げた状態でのＺ方向の厚みを、非屈曲部９０でＨ１とし、屈曲部９１でＨ２としたときに、Ｈ１，Ｈ２を測定した。その結果が表１で示される。表１では、Ｈ１，Ｈ２に加えて、Ｈ２／Ｈ１，（Ｈ２−Ｈ１）／Ｈ１についても示される。また、表１の示す発明品と比較品の構成の概要が表２に示される。
【００４５】
表１に示すように、無荷重下（０ｇ／ｃｍ２）では、比較品では、曲げ方向に垂直な方向での屈曲部９１の厚みＨ２が、非屈曲部９０の厚みＨ１の２倍以下にならないのに対して、発明品では、曲げ方向に垂直な方向での屈曲部９１の厚みＨ２が、非屈曲部９０の厚みＨ１の２倍以下である。また、荷重下（３５ｇ／ｃｍ２）では、比較品では、曲げ方向に垂直な方向での屈曲部９１の厚みＨ２が、非屈曲部９０の厚みＨ１の１．５倍以下にならないのに対して、発明品では、曲げ方向に垂直な方向での屈曲部９１の厚みＨ２が、非屈曲部９０の厚みＨ１の１．５倍以下である。なお、比較品では、圧縮率は４８％であるのに対して、発明品では、圧縮率は６６％であった。
【００４６】
ところで、屈曲部の高さと、非屈曲部の高さの差が大きいと、屈曲部周辺において、着用者と吸収性補助パッドの間に隙間が生じやすく、尿や軟便等が尿取りパッド及びテープ止めタイプ等の紙おむつの外部に漏れることがある。また、特に座位や仰臥位において、屈曲部の厚い箇所が着用者の肌に食い込む等することで違和感が生じてしまい、着用快適性が劣る。
この点、本発明の吸収性補助パッド１によれば、上述のように、略Ｕ字状に配置する等、曲げて配置する場合でも、曲げることによる厚みの変化量を低減できる。この結果、着用者と吸収性補助パッドの間から尿や軟便等が漏れる可能性が低減され、かつ、着用快適性を高めることができる。
【００４７】
【表１】
2020018481.tif 000003
【００４８】
【表２】
2020018481.tif 000004
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【符号の説明】
【００４９】
１        吸収性補助パッド
２０      吸収体
３０      表面材
３１      第一の接合部
３２      第二の接合部
４０      吸収性物品（テープ止めタイプ等の紙おむつ）
４１      吸収性物品（テープ止めタイプ等の紙おむつ）の立体ギャザー
４２      吸収性物品（テープ止めタイプ等の紙おむつ）のトップシート
５０      吸収性物品（尿取りパッド）
５１      吸収性物品（尿取りパッド）の立体ギャザー
５２      吸収性物品（尿取りパッド）のトップシート
ａ        前部
ｂ        股部
ｃ        後部
【図１Ａ】
2020018481.tif 000005
【図１Ｂ】
2020018481.tif 000006
【図２】
2020018481.tif 000007
【図３】
2020018481.tif 000008
【図４】
2020018481.tif 000009
【図５】
2020018481.tif 000010
【図６】
2020018481.tif 000011
【図７Ａ】
2020018481.tif 000012
【図７Ｂ】
2020018481.tif 000013
【図７Ｃ】
2020018481.tif 000014